(57)【要約】  光通信装置（１００）は、第１の光信号を送信する送信部（１１０）と、光レベル調整部（１２２）を有し、第２の光信号を送信する送信部（１２０）と、第１の光レベルを測定するＰＤ（１２５）と、第２の光レベルを測定するＰＤ（１２６）と、ポート（１３１ａ）に入力された第１の光信号とポート（１３１ｂ）に入力された第２の光信号をポート（１３１ｃ）から出力する通信部（１３０）と、第３の光レベルを算出する第１の算出部（１３６）と、第１の光レベル、第２の光レベル、及び第３の光レベルに基づいて、反射減衰量を算出する第２の算出部（１２７）と、反射減衰量が閾値以下である場合、ＡＰＲ制御の指示を光レベル調整部（１２２）に送信する制御部（１２９）と、を有する。光レベル調整部（１２２）は、指示を受信した場合、ポート（１２４）から送信される第２の光信号の光レベルを値以下に下げる。
2020261534.tif 000002
【特許請求の範囲】
【請求項１】
第１の光信号を送信する第１の送信部と、
光レベル調整部を含み、第１のポートから第２の光信号を送信する第２の送信部と、
前記第１のポートから送信される前の前記第２の光信号の光レベルである第１の光レベルを測定する第１の測定部と、
前記第２の光信号の少なくとも一部が前記第１のポートで反射することで生成された反射光の反射光レベルと、前記第２の送信部の外部から前記第１のポートに入力された反射光の反射光レベルとの合計値である第２の光レベルを測定する第２の測定部と、
波長選択スイッチを含み、第１の入力ポートに入力された前記第１の光信号を受信し、第２の入力ポートに入力された前記第２の光信号を受信し、前記第１の光信号と前記第２の光信号を、前記波長選択スイッチを介して第１の出力ポートから出力する通信部と、
前記第１の入力ポートに入力された前記第１の光信号の光レベルと、前記第２の入力ポートに入力された前記第２の光信号の光レベルと、前記第１の入力ポートに対応する予め定められた光損失値と、前記第２の入力ポートに対応する予め定められた光損失値とに基づいて、前記第１の入力ポートに入力された前記第１の光信号の少なくとも一部が前記波長選択スイッチ内で反射することで生成された反射光の反射光レベルと、前記第２の入力ポートに入力された前記第２の光信号の少なくとも一部が前記波長選択スイッチ内で反射することで生成された反射光の反射光レベルとの合計値である第３の光レベルを算出する第１の算出部と、
前記第１の光レベル、前記第２の光レベル、及び前記第３の光レベルに基づいて、前記第２の送信部における反射減衰量を算出する第２の算出部と、
前記反射減衰量が予め定められた閾値以下であるか否かを判定し、前記反射減衰量が前記閾値以下である場合、前記第２の光信号の光レベルを予め定められた値以下に下げるための指示を前記光レベル調整部に送信する制御部と、
を有し、
前記光レベル調整部は、前記指示を受信した場合、前記第１のポートから送信される前記第２の光信号の光レベルを前記値以下に下げる、
光通信装置。
【請求項２】
第１の光信号を送信する第１の送信部と、
光レベル調整部を含み、第１のポートから第２の光信号を送信する第２の送信部と、
前記第１のポートから送信される前の前記第２の光信号の光レベルである第１の光レベルを測定する第１の測定部と、
前記第２の光信号の少なくとも一部が前記第１のポートで反射することで生成された反射光の反射光レベルと、前記第２の送信部の外部から前記第１のポートに入力された反射光の反射光レベルとの合計値である第２の光レベルを測定する第２の測定部と、
波長選択スイッチを含み、第１の入力ポートに入力された前記第１の光信号を受信し、第２の入力ポートに入力された前記第２の光信号を受信し、前記第１の光信号と前記第２の光信号を、前記波長選択スイッチを介して第１の出力ポートから出力する通信部と、
前記第２の入力ポートに入力された前記第２の光信号の光レベルと、前記第１の入力ポートに入力された前記第１の光信号の少なくとも一部が前記波長選択スイッチ内で反射することで生成された反射光の反射光レベルとの合計値である第４の光レベルを算出する第１の算出部と、
前記第１の光レベル、前記第２の光レベル、及び前記第４の光レベルに基づいて、前記第２の送信部における反射減衰量を算出する第２の算出部と、
前記反射減衰量が予め定められた閾値以下であるか否かを判定し、前記反射減衰量が前記閾値以下である場合、前記第２の光信号の光レベルを予め定められた値以下に下げるための指示を前記光レベル調整部に送信する制御部と、
を有し、
前記光レベル調整部は、前記指示を受信した場合、前記第１のポートから送信される前記第２の光信号の光レベルを前記値以下に下げる、
光通信装置。
【請求項３】
前記第１のポートに入力された反射光は、前記第２の光信号の少なくとも一部が前記第２の入力ポートで反射することで生成された反射光と前記第１の入力ポートに入力された前記第１の光信号の少なくとも一部が前記波長選択スイッチ内で反射することで生成された反射光とのうちの少なくとも１つを含む、
請求項１又は２に記載の光通信装置。
【発明の詳細な説明】
【技術分野】
【０００１】
本発明は、光通信装置に関する。
【背景技術】
【０００２】
波長多重光通信が知られている。波長多重光通信における光信号の光レベルが、高い場合がある。例えば、光レベルが高い箇所には、ＡＰＲ（Ａｕｔｏｍａｔｉｃ  Ｐｏｗｅｒ  Ｒｅｄｕｃｔｉｏｎ）機能が設けられる。ＡＰＲ機能が設けられることで、光レベルの高い箇所で光ファイバが抜ける場合などの通常状態以外の場合に、光レベルを一定の光レベル以下に下げることができる。非特許文献１には、ＡＰＲのことが記載されている。
また、波長多重光に関する技術が提案されている（特許文献１を参照）。
【先行技術文献】
【特許文献】
【０００３】
【特許文献１】国際公開第２０１３／１４０４９３号
【非特許文献】
【０００４】
【非特許文献１】「ＩＴＵ−Ｔ  Ｇ．６６４」、２０１２年
【発明の概要】
【発明が解決しようとする課題】
【０００５】
ところで、反射光が検出される場合がある。また、反射光の検出の有無が条件として、ＡＰＲが実行される場合がある。そのため、反射光が検出された場合、ＡＰＲが実行される。ＡＰＲが実行されることで、光信号の光レベルが下げられる。反射光が検出される度に、当該光レベルが下げられることは、光通信によって提供されるサービスに影響を与えるため問題である。【０００６】
本発明の目的は、ＡＰＲ制御を適切に行うことである。
【課題を解決するための手段】
【０００７】
本発明の一態様に係る光通信装置が提供される。光通信装置は、第１の光信号を送信する第１の送信部と、光レベル調整部を有し、第１のポートから第２の光信号を送信する第２の送信部と、前記第１のポートから送信される前の前記第２の光信号の光レベルである第１の光レベルを測定する第１の測定部と、前記第２の光信号の少なくとも一部が前記第１のポートで反射することで生成された反射光の反射光レベルと、前記第２の送信部の外部から前記第１のポートに入力された反射光の反射光レベルとの合計値である第２の光レベルを測定する第２の測定部と、波長選択スイッチを含み、第１の入力ポートに入力された前記第１の光信号を受信し、第２の入力ポートに入力された前記第２の光信号を受信し、前記第１の光信号と前記第２の光信号を、前記波長選択スイッチを介して第１の出力ポートから出力する通信部と、前記第１の入力ポートに入力された前記第１の光信号の光レベルと、前記第２の入力ポートに入力された前記第２の光信号の光レベルと、前記第１の入力ポートに対応する予め定められた光損失値と、前記第２の入力ポートに対応する予め定められた光損失値とに基づいて、前記第１の入力ポートに入力された前記第１の光信号の少なくとも一部が前記波長選択スイッチ内で反射することで生成された反射光の反射光レベルと、前記第２の入力ポートに入力された前記第２の光信号の少なくとも一部が前記波長選択スイッチ内で反射することで生成された反射光の反射光レベルとの合計値である第３の光レベルを算出する第１の算出部と、前記第１の光レベル、前記第２の光レベル、及び前記第３の光レベルに基づいて、前記第２の送信部における反射減衰量を算出する第２の算出部と、前記反射減衰量が予め定められた閾値以下であるか否かを判定し、前記反射減衰量が前記閾値以下である場合、前記第２の光信号の光レベルを予め定められた値以下に下げるための指示を前記光レベル調整部に送信する制御部と、を有する。前記光レベル調整部は、前記指示を受信した場合、前記第１のポートから送信される前記第２の光信号の光レベルを前記値以下に下げる。
【発明の効果】
【０００８】
本発明によれば、ＡＰＲ制御を適切に行うことができる。
【図面の簡単な説明】
【０００９】
【図１】実施の形態１の光通信装置が有する機能ブロック図である。
【図２】実施の形態１の光通信装置が有するハードウェアの構成を示す図である。
【図３】実施の形態１の光通信装置が実行する処理のフローチャートを示す図（その１）である。
【図４】実施の形態１の光通信装置が実行する処理のフローチャートを示す図（その２）である。
【図５】実施の形態２の光通信装置が有する機能ブロック図である。
【図６】実施の形態２の光通信装置が実行する処理のフローチャートを示す図である。
【発明を実施するための形態】
【００１０】
以下、図面を参照しながら実施の形態を説明する。以下の実施の形態は、例にすぎず、本発明の範囲内で種々の変更が可能である。
【００１１】
実施の形態１．
図１は、実施の形態１の光通信装置が有する機能ブロック図である。光通信装置１００は、送信部１１０，１２０、通信部１３０、及び通知部１４０を有する。送信部１１０，１２０は、光ファイバを介して、通信部１３０と接続する。
送信部１１０は、ポート１１１、光レベル調整部１１２、及びポート１１３を有する。ここで、ポートは、光コネクタと表現してもよい。
【００１２】
送信部１２０は、ポート１２１、光レベル調整部１２２、光スプリッタ１２３ａ，１２３ｂ、ポート１２４、ＰＤ（Ｐｈｏｔｏ  Ｄｉｔｅｃｔｏｒ）１２５，１２６、第２の算出部１２７、ＩＦ（ｉｎｔｅｒｆａｃｅ）部１２８、及び制御部１２９を有する。
ここで、ＰＤは、フォトダイオードと考えてもよい。また、ＰＤ１２５，１２６、第２の算出部１２７、及び制御部１２９の一部又は全部は、送信部１２０の外部に存在してもよい。
【００１３】
通信部１３０は、ポート１３１ａ，１３１ｂ，１３１ｃ、光スプリッタ１３２ａ，１３２ｂ、波長選択スイッチ（ＷＳＳ：Ｗａｖｅｌｅｎｇｔｈ  Ｓｅｌｅｃｔｉｖｅ  Ｓｗｉｔｃｈ）１３３、ＷＳＳ  ＩＦ１３４、ＰＤ１３５ａ，１３５ｂ、第１の算出部１３６、記憶部１３７、及びＩＦ部１３８を有する。ＰＤ１３５ａ，１３５ｂは、ＵｎｉｄｉｒｅｃｔｉｏｎａｌタイプのＴＡＰ−ＰＤで実現してもよい。また、ＰＤ１３５ａ，１３５ｂ、第１の算出部１３６、及び記憶部１３７の一部又は全部は、通信部１３０の外部に存在してもよい。
【００１４】
ここで、光通信装置１００が有するハードウェアの一部について説明する。
図２は、実施の形態１の光通信装置が有するハードウェアの構成を示す図である。光通信装置１００は、プロセッサ１０１、揮発性記憶装置１０２、及び不揮発性記憶装置１０３を有する。
【００１５】
プロセッサ１０１は、光通信装置１００全体を制御する。例えば、プロセッサ１０１は、ＣＰＵ（Ｃｅｎｔｒａｌ  Ｐｒｏｃｅｓｓｉｎｇ  Ｕｎｉｔ）、ＦＰＧＡ（Ｆｉｅｌｄ  Ｐｒｏｇｒａｍｍａｂｌｅ  Ｇａｔｅ  Ａｒｒａｙ）、ＬＳＩ（Ｌａｒｇｅ  Ｓｃａｌｅ  Ｉｎｔｅｇｒａｔｉｏｎ）などである。プロセッサ１０１は、マルチプロセッサでもよい。光通信装置１００は、処理回路によって実現されてもよく、又は、ソフトウェア、ファームウェア若しくはそれらの組み合わせによって実現されてもよい。なお、処理回路は、単一回路又は複合回路でもよい。
【００１６】
揮発性記憶装置１０２は、光通信装置１００の主記憶装置である。例えば、揮発性記憶装置１０２は、ＲＡＭ（Ｒａｎｄｏｍ  Ａｃｃｅｓｓ  Ｍｅｍｏｒｙ）である。不揮発性記憶装置１０３は、光通信装置１００の補助記憶装置である。例えば、不揮発性記憶装置１０３は、ＲＯＭ（Ｒｅａｄ  Ｏｎｌｙ  Ｍｅｍｏｒｙ）又はＳＳＤ（Ｓｏｌｉｄ  Ｓｔａｔｅ  Ｄｒｉｖｅ）である。
また、ＷＳＳ１３３は、波長合分波デバイスで実現してもよい。
【００１７】
図１に戻って、光通信装置１００が有する機能ブロックを説明する。
記憶部１３７は、揮発性記憶装置１０２又は不揮発性記憶装置１０３に確保した記憶領域として実現される。
【００１８】
光レベル調整部１１２，１２２、第２の算出部１２７、ＩＦ部１２８、制御部１２９、ＷＳＳ  ＩＦ１３４、第１の算出部１３６、及びＩＦ部１３８の一部又は全部は、プロセッサ１０１によって実現してもよい。
【００１９】
光レベル調整部１１２，１２２、第２の算出部１２７、ＩＦ部１２８、制御部１２９、ＷＳＳ  ＩＦ１３４、第１の算出部１３６、及びＩＦ部１３８の一部又は全部は、プロセッサ１０１が実行するプログラムのモジュールとして実現してもよい。
【００２０】
送信部１１０を説明する。まず、送信部１１０は、第１の送信部とも言う。ポート１１１は、光通信装置１００と光伝送路とを接続するためのポートである。ポート１１１には、１以上の波長の光信号が入力される。ポート１１１は、入力ポートと表現してもよい。送信部１１０は、複数の入力ポートを有してもよい。
光レベル調整部１１２は、ポート１１１に入力された光信号を増幅することができる。送信部１１０は、光信号をポート１１３から送信する。当該光信号は、第１の光信号とも言う。
【００２１】
次に、送信部１２０を説明する。まず、送信部１２０は、第２の送信部とも言う。ポート１２１は、光通信装置１００と光伝送路とを接続するためのポートである。ポート１２１には、１以上の波長の光信号が入力される。
光レベル調整部１２２は、ポート１２１に入力された光信号を増幅することができる。光信号は、光スプリッタ１２３ａ，１２３ｂを介して、ポート１２４から出力される。このように、送信部１２０は、ポート１２４から当該光信号を送信する。ここで、ポート１２４は、第１のポートとも言う。当該光信号は、第２の光信号とも言う。
また、光レベル調整部１２２は、制御部１２９から指示を受け付けた場合、光信号を減衰する。
【００２２】
ＰＤ１２５には、光スプリッタ１２３ｂを介して、光信号が入力される。ＰＤ１２５は、ポート１２４から送信される前の光信号の光レベルＰ＿Ｂ＿ＯＵＴを測定する。なお、光レベルは、光パワーと表現してもよい。また、光レベルＰ＿Ｂ＿ＯＵＴは、第１の光レベルとも言う。ＰＤ１２５は、第１の測定部とも言う。
【００２３】
ＰＤ１２６には、光スプリッタ１２３ａを介して、反射光が入力される。ＰＤ１２６は、反射光の光レベルＰ＿Ｂ＿ＲＥＦを測定する。光レベルＰ＿Ｂ＿ＲＥＦは、光信号の少なくとも一部がポート１２４で反射することで生成された反射光の反射光レベルと、送信部１２０の外部からポート１２４に入力された反射光の反射光レベルとの合計値である。光レベルＰ＿Ｂ＿ＲＥＦは、第２の光レベルとも言う。ＰＤ１２６は、第２の測定部とも言う。
【００２４】
ここで、ポート１２４に入力された反射光は、光信号の少なくとも一部がポート１３１ｂで反射することで生成された反射光とポート１３１ａに入力された光信号の少なくとも一部がＷＳＳ１３３内で反射することで生成された反射光とのうちの少なくとも１つを含む。
【００２５】
第２の算出部１２７は、送信部１２０における反射減衰量Ｐ＿Ｂ＿ＲＥＦ’を算出する。第２の算出部１２７については、後で詳細に説明する。
ＩＦ部１２８は、通知部１４０から情報を取得する。制御部１２９については、後で詳細に説明する。
【００２６】
次に、通信部１３０を説明する。通信部１３０は、ポート１３１ａに入力された光信号を受信する。通信部１３０は、ポート１３１ｂに入力された光信号を受信する。通信部１３０は、ＷＳＳ１３３を介して、ポート１３１ａに入力された光信号とポート１３１ｂに入力された光信号をポート１３１ｃから出力する。ここで、ポート１３１ａは、第１の入力ポートとも言う。ポート１３１ｂは、第２の入力ポートとも言う。ポート１３１ｃは、第１の出力ポートとも言う。
【００２７】
通信部１３０について詳細に説明する。ポート１３１ａには、ポート１１３から出力された光信号が入力される。ポート１３１ａは、Ｐｏｒｔ＃１とも言う。ＰＤ１３５ａは、光スプリッタ１３２ａを介して、ポート１３１ａに入力された光信号の光レベルＰ＿Ａ＿ＩＮ＿１を測定する。なお、ＰＤ１３５ａは、第３の測定部とも言う。
ポート１３１ｂには、ポート１２４から出力された光信号が入力される。ポート１３１ｂは、Ｐｏｒｔ＃２とも言う。ＰＤ１３５ｂは、光スプリッタ１３２ｂを介して、ポート１３１ｂに入力された光信号の光レベルＰ＿Ａ＿ＩＮ＿２を測定する。なお、ＰＤ１３５ｂは、第４の測定部とも言う。
【００２８】
ＷＳＳ１３３には、ポート１３１ａ，１３１ｂに入力された光信号が入力される。また、ＷＳＳ１３３は、ＷＳＳ  ＩＦ１３４により制御される。ＷＳＳ１３３は、ポート１３１ａ，１３１ｂに入力された光信号を合波してもよい。ポート１３１ａ，１３１ｂに入力された光信号は、ＷＳＳ１３３を介して、ポート１３１ｃから出力される。
第１の算出部１３６は、光レベルＰ＿Ａ＿ｒｅｆ＿ｍを算出する。第１の算出部１３６については、後で詳細に説明する。
【００２９】
記憶部１３７は、ポート１３１ａに対応するＤｉｒｅｃｔｉｖｉｔｙ値とポート１３１ｂに対応するＤｉｒｅｃｔｉｖｉｔｙ値とを記憶する。ポート１３１ａに対応するＤｉｒｅｃｔｉｖｉｔｙ値とポート１３１ｂに対応するＤｉｒｅｃｔｉｖｉｔｙ値とは、予め定められた値である。言い換えれば、ポート１３１ａに対応するＤｉｒｅｃｔｉｖｉｔｙ値とポート１３１ｂに対応するＤｉｒｅｃｔｉｖｉｔｙ値とは、予め測定することで得られた値である。Ｄｉｒｅｃｔｉｖｉｔｙ値は、光損失値とも言う。ポート１３１ａに対応するＤｉｒｅｃｔｉｖｉｔｙ値は、Ｄｉｒｅｃｔｉｖｉｔｙ値Ｄｒｃｔ＿Ａ＿１と表現する。ポート１３１ｂに対応するＤｉｒｅｃｔｉｖｉｔｙ値は、Ｄｉｒｅｃｔｉｖｉｔｙ値Ｄｒｃｔ＿Ａ＿２と表現する。
【００３０】
ＩＦ部１３８は、光レベルＰ＿Ａ＿ｒｅｆ＿ｍを通知部１４０に送信する。
通知部１４０は、光レベルＰ＿Ａ＿ｒｅｆ＿ｍをＩＦ部１２８に通知する。ここで、ＩＦ部１２８とＩＦ部１３８は、有線ケーブルなどで接続してもよい。これにより、例えば、ＩＦ部１３８は、光レベルＰ＿Ａ＿ｒｅｆ＿ｍをＩＦ１２８に送信できる。
【００３１】
次に、光通信装置１００が実行する処理について、フローチャートを用いて説明する。
図３は、実施の形態１の光通信装置が実行する処理のフローチャートを示す図（その１）である。
（ステップＳ１１）第１の算出部１３６は、光レベルＰ＿Ａ＿ｒｅｆ＿ｍに０を設定する。また、光レベルＰ＿Ａ＿ｒｅｆ＿ｍの単位は、ｍＷである。
（ステップＳ１２）第１の算出部１３６は、ｎに１を設定する。
【００３２】
（ステップＳ１３）第１の算出部１３６は、Ｐｏｒｔ＃ｎの光レベルＰ＿Ａ＿ＩＮ＿ｎを取得する。例えば、第１の算出部１３６は、Ｐｏｒｔ＃１の光レベルＰ＿Ａ＿ＩＮ＿１をＰＤ１３５ａから取得する。なお、光レベルＰ＿Ａ＿ＩＮ＿ｎの単位は、ｍＷである。
（ステップＳ１４）第１の算出部１３６は、光レベルＰ＿Ａ＿ＩＮ＿ｎが閾値以上であるか否かを判定する。ここで、閾値は、全てのポートで同じ値でもよい。また、閾値は、ポート毎に異なってもよい。
光レベルＰ＿Ａ＿ＩＮ＿ｎが閾値以上である場合、第１の算出部１３６は、処理をステップＳ１５に進める。光レベルＰ＿Ａ＿ＩＮ＿ｎが閾値未満である場合、第１の算出部１３６は、処理をステップＳ１７に進める。
【００３３】
（ステップＳ１５）第１の算出部１３６は、Ｐｏｒｔ＃ｎに入力される光信号のＤｉｒｅｃｔｉｖｉｔｙ値Ｄｒｃｔ＿Ａ＿ｎを記憶部１３７から取得する。例えば、第１の算出部１３６は、Ｄｉｒｅｃｔｉｖｉｔｙ値Ｄｒｃｔ＿Ａ＿１を記憶部１３７から取得する。
（ステップＳ１６）第１の算出部１３６は、式（１）を用いて、光レベルＰ＿Ａ＿ｒｅｆ＿ｍを算出する。
【００３４】
【数１】
2020261534.tif 000003
【００３５】
（ステップＳ１７）第１の算出部１３６は、ｎが２であるか否かを判定する。ここで、２は、送信部の数を意味する。ｎが２である場合、通知部１４０は、光レベルＰ＿Ａ＿ｒｅｆ＿ｍを送信部１２０に通知する。そして、処理は、ステップＳ２１に進む。ｎが２でない場合、第１の算出部１３６は、処理をステップＳ１８に進める。
【００３６】
（ステップＳ１８）第１の算出部１３６は、ｎに１を加算する。そして、第１の算出部１３６は、処理をステップＳ１３に進める。
このように、第１の算出部１３６は、ポート１３１ａに入力された光信号の少なくとも一部がＷＳＳ１３３内で反射することで生成された反射光の反射光レベルと、ポート１３１ｂに入力された光信号の少なくとも一部がＷＳＳ１３３内で反射することで生成された反射光の反射光レベルとの合計値を算出する。当該合計値は、第３の光レベルとも言う。
【００３７】
図４は、実施の形態１の光通信装置が実行する処理のフローチャートを示す図（その２）である。
（ステップＳ２１）第２の算出部１２７は、光レベルＰ＿Ｂ＿ＯＵＴをＰＤ１２５から取得する。なお、光レベルＰ＿Ｂ＿ＯＵＴの単位は、ｍＷである。
（ステップＳ２２）第２の算出部１２７は、光レベルＰ＿Ｂ＿ＲＥＦをＰＤ１２６から取得する。なお、光レベルＰ＿Ｂ＿ＲＥＦの単位は、ｍＷである。
【００３８】
（ステップＳ２３）第２の算出部１２７は、光レベルＰ＿Ｂ＿ＯＵＴ、光レベルＰ＿Ｂ＿ＲＥＦ、及び光レベルＰ＿Ａ＿ｒｅｆ＿ｍに基づいて、反射減衰量Ｐ＿Ｂ＿ＲＥＦ’を算出する。詳細には、第２の算出部１２７は、式（２）を用いて、反射減衰量Ｐ＿Ｂ＿ＲＥＦ’を算出する。
【００３９】
【数２】
2020261534.tif 000004
【００４０】
（ステップＳ２４）制御部１２９は、反射減衰量Ｐ＿Ｂ＿ＲＥＦ’が閾値Ｐ＿ＲＥＦｔｈ以下であるか否かを判定する。なお、閾値Ｐ＿ＲＥＦｔｈは、予め定められた値である。
反射減衰量Ｐ＿Ｂ＿ＲＥＦ’が閾値Ｐ＿ＲＥＦｔｈ以下である場合、制御部１２９は、反射光が送信部１２０に入力されていると判定する。そして、制御部１２９は、処理をステップＳ２５に進める。
反射減衰量Ｐ＿Ｂ＿ＲＥＦ’が閾値Ｐ＿ＲＥＦｔｈよりも大きい場合、制御部１２９は、反射光が送信部１２０に入力されていないと判定する。そして、制御部１２９は、処理を終了する。
【００４１】
（ステップＳ２５）制御部１２９は、ＡＰＲ制御の指示を光レベル調整部１１２に送信する。すなわち、制御部１２９は、ポート１２４から送信される光信号の光レベルを予め定められた値以下に下げるための指示を光レベル調整部１２２に送信する。
光レベル調整部１１２は、指示を受信した場合、ポート１２４から送信される光信号の光レベルを当該値以下に下げる。
【００４２】
実施の形態１によれば、ＰＤ１２６が反射光を検出する度に、光レベル調整部１２２は、ＡＰＲを実行しない。光レベル調整部１２２は、制御部１２９から指示を受け付けた場合、ＡＰＲを実行する。すなわち、ＰＤ１２６が反射光を検出する度に、ポート１２４から出力される光信号の光レベルが、下げられない。このように、光レベル調整部１２２が制御部１２９から指示を受け付けたときにＡＰＲを実行することで、光通信装置１００は、ＡＰＲ制御を適切に行うことができる。
【００４３】
実施の形態２．
次に、実施の形態２を説明する。実施の形態２では、実施の形態１と相違する事項を主に説明する。そして、実施の形態２では、実施の形態１と共通する事項の説明を省略する。実施の形態２の説明では、図１，２を参照する。
実施の形態１では、ＵｎｉｄｉｒｅｃｔｉｏｎａｌタイプのＴＡＰ−ＰＤを用いる場合を説明した。実施の形態２では、ＢｉｄｉｒｅｃｔｉｏｎａｌタイプのＴＡＰ−ＰＤを用いる場合を説明する。
【００４４】
図５は、実施の形態２の光通信装置が有する機能ブロック図である。図１に示される構成と同じ図５の構成は、図１に示される符号と同じ符号を付している。
光通信装置１００ａは、通信部１３０ａを有する。通信部１３０ａは、第１の算出部１３６ａと光スプリッタ１３９ａ，１３９ｂとを有する。また、ＰＤ１３５ａ，１３５ｂは、ＢｉｄｉｒｅｃｔｉｏｎａｌタイプのＴＡＰ−ＰＤである。
【００４５】
ＰＤ１３５ａには、光スプリッタ１３９ａを介して、ポート１３１ａに入力された光信号と、ポート１３１ｂに入力された光信号の少なくとも一部がＷＳＳ１３３内で反射することで生成された反射光とが入力される。ＰＤ１３５ａは、ポート１３１ａに入力された光信号の光レベルを測定する。また、ＰＤ１３５ａは、ポート１３１ｂに入力された光信号の少なくとも一部がＷＳＳ１３３内で反射することで生成された反射光の反射光レベルを測定する。
【００４６】
ＰＤ１３５ｂには、光スプリッタ１３９ｂを介して、ポート１３１ｂに入力された光信号と、ポート１３１ａに入力された光信号の少なくとも一部がＷＳＳ１３３内で反射することで生成された反射光とが入力される。ＰＤ１３５ｂは、ポート１３１ｂに入力された光信号の光レベルを測定する。また、ＰＤ１３５ａは、ポート１３１ａに入力された光信号の少なくとも一部がＷＳＳ１３３内で反射することで生成された反射光の反射光レベルを測定する。
第１の算出部１３６ａは、ポート１３１ｂに入力された光信号の光レベルと、ポート１３１ａに入力された光信号の少なくとも一部がＷＳＳ１３３内で反射することで生成された反射光の反射光レベルとの合計値Ｐ＿Ａ＿ＩＮＯＵＴ＿２を算出する。なお、合計値Ｐ＿Ａ＿ＩＮＯＵＴ＿２の単位は、ｍＷである。また、合計値Ｐ＿Ａ＿ＩＮＯＵＴ＿２は、第４の光レベルとも言う。
また、第１の算出部１３６ａは、ポート１３１ａに入力された光信号の光レベルと、ポート１３１ｂに入力された光信号の少なくとも一部がＷＳＳ１３３内で反射することで生成された反射光の反射光レベルとの合計値Ｐ＿Ａ＿ＩＮＯＵＴ＿１を算出してもよい。なお、合計値Ｐ＿Ａ＿ＩＮＯＵＴ＿１の単位は、ｍＷである。
【００４７】
図６は、実施の形態２の光通信装置が実行する処理のフローチャートを示す図である。
（ステップＳ３１）第１の算出部１３６ａは、合計値Ｐ＿Ａ＿ＩＮＯＵＴ＿２を算出する。
【００４８】
（ステップＳ３２）通知部１４０は、合計値Ｐ＿Ａ＿ＩＮＯＵＴ＿２を送信部１２０に通知する。
【００４９】
（ステップＳ３３）第２の算出部１２７は、光レベルＰ＿Ｂ＿ＯＵＴをＰＤ１２５から取得する。
（ステップＳ３４）第２の算出部１２７は、光レベルＰ＿Ｂ＿ＲＥＦをＰＤ１２６から取得する。
（ステップＳ３５）第２の算出部１２７は、光レベルＰ＿Ｂ＿ＯＵＴ、光レベルＰ＿Ｂ＿ＲＥＦ、及び光レベルＰ＿Ａ＿ＩＮＯＵＴ＿ｍに基づいて、反射減衰量Ｐ＿Ｂ＿ＲＥＦ’を算出する。詳細には、第２の算出部１２７は、式（３）を用いて、送信部１２０における反射減衰量Ｐ＿Ｂ＿ＲＥＦ’を算出する。
【００５０】
【数３】
2020261534.tif 000005
【００５１】
（ステップＳ３６）制御部１２９は、反射減衰量Ｐ＿Ｂ＿ＲＥＦ’が閾値Ｐ＿ＲＥＦｔｈ以下であるか否かを判定する。
反射減衰量Ｐ＿Ｂ＿ＲＥＦ’が閾値Ｐ＿ＲＥＦｔｈ以下である場合、制御部１２９は、反射光が送信部１２０に入力されていると判定する。そして、制御部１２９は、処理をステップＳ３７に進める。
反射減衰量Ｐ＿Ｂ＿ＲＥＦ’が閾値Ｐ＿ＲＥＦｔｈよりも大きい場合、制御部１２９は、反射光が送信部１２０に入力されていないと判定する。そして、制御部１２９は、処理を終了する。
【００５２】
（ステップＳ３７）制御部１２９は、ＡＰＲ制御の指示を光レベル調整部１１２に送信する。すなわち、制御部１２９は、ポート１２４から送信される光信号の光レベルを予め定められた値以下に下げるための指示を光レベル調整部１２２に送信する。
光レベル調整部１１２は、指示を受信した場合、ポート１２４から送信される光信号の光レベルを当該値以下に下げる。
【００５３】
実施の形態２によれば、ＰＤ１２６が反射光を検出する度に、光レベル調整部１２２は、ＡＰＲを実行しない。光レベル調整部１２２は、制御部１２９から指示を受け付けた場合、ＡＰＲを実行する。すなわち、ＰＤ１２６が反射光を検出する度に、ポート１２４から出力される光信号の光レベルが、下げられない。このように、光レベル調整部１２２が制御部１２９から指示を受け付けたときにＡＰＲを実行することで、光通信装置１００ａは、ＡＰＲ制御を適切に行うことができる。
【００５４】
以上に説明した各実施の形態における特徴は、互いに適宜組み合わせることができる。
【符号の説明】
【００５５】
１００、１００ａ  光通信装置、  １０１  プロセッサ、  １０２  揮発性記憶装置、  １０３  不揮発性記憶装置、  １１０  送信部、  １１１  ポート、  １１２  光レベル調整部、  １１３  ポート、  １２０  送信部、  １２１  ポート、  １２２  光レベル調整部、  １２３ａ，１２３ｂ  光スプリッタ、  １２４  ポート、  １２５，１２６  ＰＤ、  １２７  第２の算出部、  １２８  ＩＦ部、  １２９  制御部、  １３０，１３０ａ  通信部、  １３１ａ，１３１ｂ，１３１ｃ  ポート、  １３２ａ，１３２ｂ  光スプリッタ、  １３３  ＷＳＳ、  １３４  ＷＳＳ  ＩＦ、  １３５ａ，１３５ｂ  ＰＤ、  １３６、１３６ａ  第１の算出部、  １３７  記憶部、  １３８  ＩＦ部、  １３９ａ，１３９ｂ  光スプリッタ、  １４０  通知部。
【図１】
2020261534.tif 000006
【図２】
2020261534.tif 000007
【図３】
2020261534.tif 000008
【図４】
2020261534.tif 000009
【図５】
2020261534.tif 000010
【図６】
2020261534.tif 000011
【国際調査報告】
2020261534.tif 000012
2020261534.tif 000013
2020261534.tif 000014
2020261534.tif 000015